(57)【要約】【課題】  フィルタ素材の交換作業の容易化が図れるフィルタ装置、及びこのフィルタ装置を備えた天吊り型空気調和機を提供する。【解決手段】  フィルタ枠１１に格子状のフィルタ支持体を設け、このフィルタ支持体にフィルタ素材を支持し、このフィルタ素材を格子状のフィルタ押さえ２７で押さえたフィルタ装置において、前記フィルタ押さえ２７は、フィルタ押さえ２７の外周を形成する外線材２７ｏと、この外線材２７ｏの対向する線材を連結する複数の内線材２７ｄとを備え、この内線材２７ｄが連結していない外線材の対向する線材に、フィルタ枠１１の係合部に嵌め込まれる複数の係止部２７ａを形成した。【選択図】      図６
2007003045.tif 000002
【特許請求の範囲】
【請求項１】
フィルタ枠に格子状のフィルタ支持体を設け、このフィルタ支持体にフィルタ素材を支持し、このフィルタ素材を格子状のフィルタ押さえで押さえたフィルタ装置において、
前記フィルタ押さえは、フィルタ押さえの外周を形成する外線材と、この外線材の対向する線材を連結する複数の内線材とを備え、この内線材が連結していない外線材の対向する線材に、フィルタ枠の係合部に嵌め込まれる複数の係止部を形成したことを特徴とするフィルタ装置。
【請求項２】
前記複数の係止部は前記フィルタ枠の４辺に対応して形成されていることを特徴とする請求項１記載のフィルタ装置。
【請求項３】
ユニット本体に熱交換器、送風機を収納し、この送風機の吸込み側にフィルタ装置を備えた天吊り型空気調和機において、
前記フィルタ装置は、フィルタ枠に格子状のフィルタ支持体を設け、このフィルタ支持体にフィルタ素材を支持し、このフィルタ素材を格子状のフィルタ押さえで押さえて構成し、このフィルタ押さえは、フィルタ押さえの外周を形成する外線材と、この外線材の対向する線材を連結する複数の内線材とを備え、この内線材が連結していない外線材の対向する線材に、フィルタ枠の係合部に嵌め込まれる複数の係止部を形成したことを特徴とする天吊り型空気調和機。
【請求項４】
前記複数の係止部は前記フィルタ枠の４辺に対応して形成されていることを特徴とする請求項３記載の天吊り型空気調和機。
【発明の詳細な説明】
【技術分野】
【０００１】
本発明は、空気調和用のフィルタ装置、及びこのフィルタ装置を備えた天吊り型空気調和機に関する。
【背景技術】
【０００２】
従来、空気調和機の室内機は、室内空気を吸込む吸気口を備えており、この吸気口には、空気中に含まれる塵埃等を除去するフィルタ装置が設けられている。
この種のフィルタ装置は、フィルタ枠に格子状のフィルタ支持体を設け、このフィルタ支持体にフィルタ素材を支持し、このフィルタ素材を格子状のフィルタ押さえで押さえて構成されている。このフィルタ押さえは、フィルタ押さえの外周を形成する外線材と、この外線材の対向する線材を連結する複数の内線材とを備え、フィルタ枠にフィルタ素材を支持した後、フィルタ押さえで押さえる場合、フィルタ枠にフィルタ押さえの外線材を引っ掛けている。このような構成のフィルタ装置では、使用により塵埃が蓄積され、集塵能力が低下すると、新しいフィルタ素材に交換する必要があり、フィルタ素材交換の毎に、フィルタ押さえを取り外すことになる。
そこで、フィルタ押さえの形状を工夫し、フィルタ交換作業を容易に行えるようにしたものが提案されている（例えば、特許文献１参照）。
【特許文献１】特開２０００−１３０８３５号公報
【発明の開示】
【発明が解決しようとする課題】
【０００３】
しかしながら、上記従来技術においては、フィルタ押さえに、外線材同士を結ぶ内線材が設けられているため、内線材のたわみ剛性によりフィルタ押さえをたわませ難く、フィルタ素材の交換作業が困難になっていた。
そこで、本発明の目的は、上述した従来の技術が有する課題を解消し、フィルタ素材の交換作業の容易化が図れるフィルタ装置、及びこのフィルタ装置を備えた天吊り型空気調和機を提供することにある。
【課題を解決するための手段】
【０００４】
本発明は、フィルタ枠に格子状のフィルタ支持体を設け、このフィルタ支持体にフィルタ素材を支持し、このフィルタ素材を格子状のフィルタ押さえで押さえたフィルタ装置において、前記フィルタ押さえは、フィルタ押さえの外周を形成する外線材と、この外線材の対向する線材を連結する複数の内線材とを備え、この内線材が連結していない外線材の対向する線材に、フィルタ枠の係合部に嵌め込まれる複数の係止部を形成したことを特徴とする。
【０００５】
この場合において、前記複数の係止部は前記フィルタ枠の４辺に対応して形成されていてもよい。
【０００６】
さらに、本発明は、ユニット本体に熱交換器、送風機を収納し、この送風機の吸込み側にフィルタ装置を備えた天吊り型空気調和機において、前記フィルタ装置は、フィルタ枠に格子状のフィルタ支持体を設け、このフィルタ支持体にフィルタ素材を支持し、このフィルタ素材を格子状のフィルタ押さえで押さえて構成し、このフィルタ押さえは、フィルタ押さえの外周を形成する外線材と、この外線材の対向する線材を連結する複数の内線材とを備え、この内線材が連結していない外線材の対向する線材に、フィルタ枠の係合部に嵌め込まれる複数の係止部を形成したことを特徴とする。
【０００７】
この場合において、前記複数の係止部は前記フィルタ枠の４辺に対応して形成されていてもよい。
【発明の効果】
【０００８】
本発明は、フィルタ押さえが、フィルタ押さえの外周を形成する外線材と、この外線材の対向する線材を連結する複数の内線材とを備え、この内線材が連結していない外線材の対向する線材に、フィルタ枠の係合部に嵌め込まれる複数の係止部を形成したから、この係止部を設けた外線材はたわみ易く、これをたわませることにより、複数の係止部をフィルタ枠に簡単に係止することができる。
【発明を実施するための最良の形態】
【０００９】
以下、本発明の実施の形態について図面を参照して説明する。本実施の形態では、空気調和機の一態様として、厨房室の空気調和に用いて好適な天吊型の空気調和機について説明する。なお、本発明は天吊型の空気調和機に限らず、例えば天井埋込型など他の空気調和機にも適用可能であることは勿論である。
【００１０】
図１は本実施の形態に係る空気調和機１の外観構成を示す斜視図である。空気調和機１は略箱型のユニット本体１Ａを有し、このユニット本体１Ａの正面、左右面、背面には、側板として前面外装パネル２、左面外装パネル４、右面外装パネル５、背面外装パネル３が設けられており、下面（天面）には、床板として前面外装パネル２が配置されている。ユニット本体１Ａの左面外装パネル４及び右面外装パネル５のそれぞれには２つの掛具８がそれぞれ設けられ、各掛具８に天井から吊り下げられた吊りボルト１５（図２参照）が引掛られて、空気調和機１のユニット本体１Ａが厨房室の天井板１６の下面に設置・固定される。
【００１１】
正面の前面外装パネル２には風向変更用の横羽根（ルーバ）９を着脱自在に取り付けた空気吹出口１０が設けられ、また、下面にはフィルタ装置１００を着脱自在に取り付けられて空気吸込口１２が形成されている。さらに、空気吹出口１０の左右両側には、スポット空調用ダクト（図示せず）が接続されるダクト用吹出口１３が設けられている。すなわち、空気吹出口１０から冷温風を吹き出させると同時に空気調和室の隅々まで冷温風をスポット的に吹き出させる場合は、スポット空調ダクトをダクト吹出口１３、１３の夫々に接続することで冷温風の一部がダクト吹出口１３、１３からスポット空調用ダクトへ導かれ、スポット冷暖房が行われる。このスポット用吹出口１３にスポット空調用ダクトを接続しない場合には、裏面に断熱材が貼着された吹出口カバー１４でスポット用吹出口１３が塞がれる。
【００１２】
また、上記前面外装パネル２、下面外装パネル７やユニット本体１Ａ、横羽根９、フィルタ装置１００、吹出口カバー１４は、それぞれステンレスで形成されており、付着した油を洗剤で簡単に拭き取ることができるようになっている。したがって、厨房内の油煙により油が付着したとしても、光沢のあるきれいな面が簡単に再現される。
【００１３】
図２は空気調和機１のユニット本体１Ａ内部の概略構成を示す断面図である。
空気調和機１のユニット本体１Ａ内には仕切板２０が設けられ、この仕切板２０によりユニット本体１Ａ内が前後二室に区画される。空気吹出口１０が設けられた前側の室（以下「熱交換室」という）２１には、熱交換器２２と、この熱交換器２２の下方に設けられた発泡スチロール製のドレンパン２３とが配設される。ドレンパン２３の上面（熱交換器２２との対向面）には断面凹状のドレン溜まり２３Ａが形成され、また、このドレンパン２３にはドレンホースが接続される図示せぬホース接続管が設けられており、ドレン溜まり２３Ａに収集されたドレンは図示せぬドレンポンプユニットによりドレンホースを介して吸い上げられてユニット本体１Ａの外に排出される。
【００１４】
空気吸込口１２が設けられた後側の室（以下「送風室」という）２４には送風機ユニット２５が配設される。この送風機ユニット２５の下方には、上述したフィルタ装置１００が配設され、このフィルタ装置１００には、空気清浄用のエアフィルタ２６が取り付けられる。そして、送風機ユニット２５が駆動されるとフィルタ装置１００を通じて厨房室内の空気がユニット本体１Ａに吸い込まれ（矢印Ａ）、送風機２５により熱交換器２２に空気が排出され（矢印Ｂ）、熱交換器２２で熱交換された後、横羽根９により風向が調整されて、空気吹出口１０を通じて厨房室内に冷温風が吹き出される（矢印Ｃ）。
【００１５】
図３は、ユニット本体１Ａと、これに装着されるフィルタ装置１００とを示す斜視図である。同図に示すように、上記送風機ユニット２５は、ファン及びファンケースを有する二連の両吸込型送風機３２と、各送風機３２の間に配置された送風機モータ２８とで構成され、仕切板２０に固定されている。また、送風室２４の左面外装パネル４側には電装箱５５が配置されており、この電装箱５５は、プリント基板、電源トランス、端子盤、コンデンサ等の各種電気回路等の各種電気回路を収納し、ここから延びる電気配線は、図中右方向に延び、現地配線取入口３８から外に配線される。この現地配線取入口３８からは、熱交換器２２（図２）から延びるガス管３６及びオイル管３７が導出され、図示せぬ室外機に接続されている。
【００１６】
空気吸込口１２には２枚のフィルタ装置１００（１枚のみ図示）が配置される。背面外装パネル３にはフィルタ装置取付具３０が配置されており、フィルタ装置１００は二つのピン１１ａをこのフィルタ装置取付具３０に引掛け、フィルタ装置１００を本体１Ａに配置した後、二つのラッチ３４を本体１Ａに引掛け、固定される。
【００１７】
図４は、フィルタ装置１００の分解斜視図である。このフィルタ装置１００は、ステンレス製のフィルタ枠１１と、このフィルタ枠１１に溶接により固定された金属製の格子状のフィルタ支持体１９と、フィルタ枠１１に着脱自在に取り付けられるエアフィルタ（フィルタ素材）２６と、同じくフィルタ枠１１に着脱自在に取り付けられる金属製の格子状のフィルタガード（フィルタ押さえ）２７とを備える。
【００１８】
エアフィルタ２６、及びフィルタガード２７は、図５に示すように、フィルタ枠１１のコ字断面の係合部１１ｋに嵌め込まれる。
【００１９】
図６は、フィルタガード２７を示す平面図である。
フィルタガード２７は、ステンレス金属製であり、格子状に形成されている。このフィルタガード２７は、その外周を形成する外線材２７ｏを有し、この外線材２７ｏの内、対向する短い線材２７ｈ同士は三本の内線材２７ｄで連結され、三本の内線材２７ｄは、フィルタ２６の支持を補助する格子状の補助支持線材２７ｉで結合されている。一方、この外線材２７ｏの内、対向する長い線材２７ｗ同士は連結されておらず、それぞれの線材２７ｗは、フィルタガード２７の短手方向にフリーであって、外力を加えた場合、それぞれの線材２７ｗは、短手内方向にたわみ自在である。
【００２０】
本実施形態では、一対の線材２７ｗの各直線部ＬＬに、フィルタ枠１１の長手方向の係合部１１ｋに嵌め込まれる両端係止部２７ｂ、及び中央係止部２７ｃが設けられ、上記線材２７ｗの両端隅部ＧＧに、フィルタ枠１１の短手方向の係合部１１ｋに嵌め込まれる角係止部２７ａが設けられている。この角係止部２７ａは、フィルタ枠１１の仮想の角１１Ｂよりも、寸法Ｗ１だけ短手方向内側に寄り、両端係止部２７ｂは、角１１Ｂよりも、寸法Ｗ２だけ長手方向内側に寄って形成されている。
なお、破線で示す矩形線は、フィルタ枠１１であり、同図からも明らかなように、フィルタ枠１１の長手及び短手方向の係合部１１ｋには、両端係止部２７ｂ、中央係止部２７ｃ、及び角係止部２７ａだけが嵌合し、その他の辺に沿う線材は、いずれも係合部１１ｋには嵌合しない。
【００２１】
フィルタ装置１００を組み付ける場合、まず、フィルタ枠１１に、エアフィルタ２６を嵌め込み、ついでフィルタガード２７を嵌め込む。フィルタガード２７を嵌め込む場合には、図７に示すように、フィルタガード２７の一対の線材２７ｗに、側方から外力Ｐを加える。すると、一対の線材２７ｗは、短手方向にフリーになっているから、図７に実線で示すように、たわみ変形し、これによって、一対の線材２７ｗに形成された両端係止部２７ｂ、中央係止部２７ｃ、及び角係止部２７ａの全てが、破線で示すフィルタ枠１１の内方に変位する。これを変位させた後に、フィルタ枠１１の内側で、外力Ｐを解除すると、一対の線材２７ｗが復元して、一対の線材２７ｗに形成された両端係止部２７ｂ、中央係止部２７ｃ、及び角係止部２７ａの全てが、上記係合部１１ｋに係合し、これにより、エアフィルタ２６が保持される。
【００２２】
以上は、原理説明であり、実際には、一方の線材２７ｗを予めフィルタ枠１１の係合部１１ｋに係合し、その後、他方の線材２７ｗに外力Ｐを与えて上記のように変形させ、当該他方の線材２７ｗをフィルタ枠１１の係合部１１ｋに係合させてもよく、その組み付け手順は任意である。
【００２３】
本実施形態では、外力Ｐで変形し易い一対の線材２７ｗに、全ての係止部２７ｂ、２７ｃ及び２７ａを形成したため、その外力Ｐを加え、変形させることで、フィルタガード２７を簡単に組み付けできる。
【００２４】
以上、一実施形態に基づいて本発明を説明したが、本発明は、これに限定されるものではない。例えば、上記実施形態では、一対の線材２７ｗに、両端係止部２７ｂ、中央係止部２７ｃ、及び角係止部２７ａの合計１０個の係止部を、上下左右共に対象に形成しているが、これに限定されず、係止部の数は任意であり、しかも、上下左右共に非対象に形成されていてもよい。
【図面の簡単な説明】
【００２５】
【図１】本発明による室内機の一実施形態を示す斜視図である。
【図２】室内機の断面図である。
【図３】フィルタ装置を取り外した状態を示す斜視図である。
【図４】フィルタ枠からエアフィルタ及びフィルタガードを取り外した状態を示す斜視図である。
【図５】図３のＶ―Ｖ断面図である。
【図６】フィルタガードを示す平面図である。
【図７】フィルタガードをフィルタ枠に嵌め込むときの様子を示す平面図である。
【符号の説明】
【００２６】
１  空気調和機（天吊り型空気調和機）
１Ａ  ユニット本体
１１  フィルタ枠
１１ｋ  係合部
１９  フィルタ支持体
２２  熱交換器
２５  送風機ユニット（送風機）
２６  エアフィルタ（フィルタ素材）
２７  フィルタガード（フィルタ押さえ）
２７ａ  係止部
２７ｄ  内線材
２７ｏ  外線材
１００  フィルタ装置
【図１】
2007003045.tif 000003
【図２】
2007003045.tif 000004
【図３】
2007003045.tif 000005
【図４】
2007003045.tif 000006
【図５】
2007003045.tif 000007
【図６】
2007003045.tif 000008
【図７】
2007003045.tif 000009